(57)【要約】      （修正有）【課題】冠婚葬祭用のセレモニーにおいて、豪華で感動的な演出が可能な冠婚葬祭用の部屋及び冠婚葬祭用の建物を提供する。【解決手段】冠婚葬祭用の部屋１は、内壁面２に設置された枠状のフレーム１０と、フレーム１０の枠内から露出する領域をスクリーン状の映写領域と、画像が描かれた非映写領域との間で切り替え可能な帯状のシート１１と、シート１１を挟み込むように設けられ、シート１１を巻き取り可能に保持する第１ローラ及び第２ローラと、映写機２０とを備えている。映写機２０は、枠内から露出した映写領域の表面と、フレーム１０表面と、凹凸形状の内壁面２とを含む表面領域Ｔに向かって、表面領域Ｔに対応した映像を映写する。【選択図】図１
2015192728.tif 000002
【特許請求の範囲】
【請求項１】
冠婚葬祭用に用いられる部屋であって、
該部屋の内壁面から凸状に張り出すように設置される枠状のフレームと、
該フレームの枠内から露出可能に設けられる露出部材と、
該露出部材を動作させて該露出部材の状態を、映像を写し出すための下地を露出する状態と、予め形成された画像を露出する状態との間で切り替える切り替え手段と、
前記内壁面側に向かって映像を映写する映写機と、を備え、
該映写機は、前記下地を露出した前記露出部材表面と、前記フレーム表面と、前記内壁面の少なくとも一部と、を含む表面領域に向かって、該表面領域に対応した映像を映写することを特徴とする冠婚葬祭用の部屋。
【請求項２】
前記表面領域に含まれる前記内壁面の少なくとも一部には、凹凸形状が付与されていることを特徴とする請求項１に記載の冠婚葬祭用の部屋。
【請求項３】
前記露出部材は、
前記フレームの枠内から一部の領域が露出可能に設けられ、
前記下地を露出した状態のときに前記下地に相当する映写領域を露出すると共に、前記画像を露出した状態のときに前記画像に相当する非映写領域を露出し、
前記切り替え手段は、前記露出部材を動作させて、前記映写領域と、前記非映写領域との間で前記枠内から露出する領域を切り替えることを特徴とする請求項１又は２に記載の冠婚葬祭用の部屋。
【請求項４】
前記露出部材は、帯状のシートであって、
前記切り替え手段は、
前記シートの幅方向の両端側にそれぞれ設けられ、該シートを幅方向に巻き取り可能に保持する第１ローラ、及び第２ローラを備え、
該第１ローラ、及び第２ローラの一方側に前記シートを巻き取らせて、前記映写領域と、前記非映写領域との間で前記枠内から露出する領域を切り替えることを特徴とする請求項３に記載の冠婚葬祭用の部屋。
【請求項５】
前記部屋は、結婚式用又は葬式用に用いられる部屋であって、
前記内壁面のうち、前記フレーム及び前記露出部材が設置された領域と異なる領域には、装飾用に設けられた花を備え、
前記映写機は、前記表面領域に向かって前記花に対応した映像を映写することを特徴とする請求項１乃至４のいずれか１項に記載の冠婚葬祭用の部屋。
【請求項６】
前記花は、プリザーブドフラワーの花冠と、該花冠に固着された模造の萼と、該萼に着脱自在に取り付けられた模造の茎と、からなる加工花であることを特徴とする請求項５に記載の冠婚葬祭用の部屋。
【請求項７】
前記内壁面の所定位置に形成されて前記建物外に通じる開口部分には、透明性を有するガラス板が取り付けられ、
前記映写機は、前記ガラス板の表面をさらに含む前記表面領域に向かって前記映像を映写することを特徴とする請求項１乃至６のいずれか１項に記載の冠婚葬祭用の部屋。
【請求項８】
前記表面領域に含まれる前記下地を露出した前記露出部材表面の少なくとも一部には、凹凸形状が付与されていることを特徴とする請求項１乃至７のいずれか１項に記載の冠婚葬祭用の部屋。
【請求項９】
請求項１乃至８のいずれか１項に記載の冠婚葬祭用の部屋を備えたことを特徴とする冠婚葬祭用の建物。
【発明の詳細な説明】
【技術分野】
【０００１】
本発明は、冠婚葬祭用の部屋及び冠婚葬祭用の建物に係り、特に、冠婚葬祭用のセレモニーを演出することが可能な冠婚葬祭用の部屋及び冠婚葬祭用の建物に関する。
【背景技術】
【０００２】
冠婚葬祭は、人生にとって重要な節目を迎えるための儀式となるため、人々にとって印象深く、思い出深いものとなることが望まれている。
従来から、例えば結婚披露宴においては、結婚式場に常設されたスクリーンと映写機とを利用して、新郎新婦のプロフィール映像や、余興映像、そしてエンドロールを写すことにより、結婚披露宴の演出を盛り上げる趣向が凝らされている（例えば、特許文献１参照）。
【０００３】
特許文献１に記載された冠婚葬祭用式場では、式場建屋本体と、スクリーンと、投影機と、ステージと、を備えている。そして、スクリーンは、式場の正面部に配置された正面側スクリーンと、正面側スクリーンの左右に並設された側面側スクリーンと、天井に設けられた上部スクリーン部と、から構成されている。
上記構成により、式場内の上記複数のスクリーンに向かって、臨場感あふれる画像を投影機から投影させることができるため、参列者が、大きな背景に包まれることになり、その雰囲気に陶酔することができる。
【先行技術文献】
【特許文献】
【０００４】
【特許文献１】特開２００８−３６０９７号公報
【発明の概要】
【発明が解決しようとする課題】
【０００５】
しかしながら、特許文献１のような冠婚葬祭用式場において、スクリーンと投影機とを利用した演出は既に広く知られているものであって、新郎新婦及び参列者にとって従来の演出を越えた豪華で感動的なセレモニーを演出可能な冠婚葬祭用式場が望まれていた。
【０００６】
また、特許文献１のような冠婚葬祭用式場では、式場内に比較的大型のスクリーンが複数設置されており、これら白無地のスクリーンは、不使用時には式場内の天井側へ巻き上げたり、そのままスクリーンを式場内に露出したりしていたため、スクリーンの不使用時には式場内の美観を損ねたり、式場内のスペースを狭くしてしまう等の問題を抱えていた。
そのため、冠婚葬祭時の演出において映像を利用した演出をしていないとき、すなわちスクリーンの不使用時には、白無地のスクリーンを鑑賞用の絵画等に切り替える等して式場内の美観を維持、向上させるような演出が望まれていた。
【０００７】
また、特許文献１のような冠婚葬祭用式場では、披露宴において新郎新婦及び参列者に豪華な印象を与えるように、式場内に装花が多数飾られてコーディネートされている。
装花には生花が通常用いられることが多いが、生花は単価が高い上、長期間鮮度を維持することができず再利用できないため、装花の本数を多くするとコストが非常に高くなってしまうという問題があった。
そこで、生花に替えてブリザーブドフラワーを装花として利用すると、生花と遜色ない見栄えが得られる上、長期間維持することもできてコストを抑えることもできるが、装花の本数を多くするとやはりコストが高くなってしまうという問題があった。
上記問題は、結婚式のほか、例えば葬式において参列者に豪華で荘厳な印象を与えるように、式場内に供花が多数飾られてコーディネートされている場合にも生じていた。
そのため、冠婚葬祭時において多数の装花や供花を飾ることによって参列者に豪華な印象を与えつつも、冠婚葬祭の費用を抑えることが可能な式場が望まれていた。
【０００８】
本発明は、上記の課題に鑑みてなされたものであり、本発明の目的は、冠婚葬祭用のセレモニーにおいて、豪華で感動的な演出が可能な冠婚葬祭用の部屋及び冠婚葬祭用の建物を提供することにある。
また、本発明の他の目的は、冠婚葬祭用のセレモニーにおいて映像演出をしていないときに、部屋内の美観を維持、向上させることが可能な冠婚葬祭用の部屋及び冠婚葬祭用の建物を提供することにある。
また、本発明の他の目的は、冠婚葬祭用のセレモニーにおいて、豪華な印象を与えつつも、費用を抑えることが可能な冠婚葬祭用の部屋及び冠婚葬祭用の建物を提供することにある。
【課題を解決するための手段】
【０００９】
前記課題は、本発明の冠婚葬祭用の部屋によれば、冠婚葬祭用に用いられる部屋であって、該部屋の内壁面から凸状に張り出すように設置される枠状のフレームと、該フレームの枠内から露出可能に設けられる露出部材と、該露出部材を動作させて該露出部材の状態を、映像を写し出すための下地を露出する状態と、予め形成された画像を露出する状態との間で切り替える切り替え手段と、前記内壁面側に向かって映像を映写する映写機と、を備え、該映写機は、前記下地を露出した前記露出部材表面と、前記フレーム表面と、前記内壁面の少なくとも一部と、を含む表面領域に向かって、該表面領域に対応した映像を映写すること、により解決される。
【００１０】
上記のように、映写機は、冠婚葬祭用の部屋内において、下地を露出した露出部材表面と、フレーム表面と、内壁面の少なくとも一部と、を含む表面領域に向かって、表面領域に対応した映像を映写するため、冠婚葬祭用、例えば結婚式用のセレモニーにおいて、プロジェクションマッピングを利用した豪華で感動的な映像演出が可能な冠婚葬祭用建物を提供することができる。
ここで、プロジェクションマッピングとは、平面状のスクリーン表面の代わりとして立体物の表面に映像を張り合わせるように映写する技法である。映像を写すスクリーンとなる立体物は、建築物だけでなく、靴、テーブルや椅子、額縁、描かれた絵、人体、部屋、鞄、楽器、樹木等ありとあらゆる物を対象とすることができる。
平面状のスクリーン表面だけでは演出することができない、空間そのものをデザイン、演出してしまうプロジェクションマッピングでは、その仮想と現実が入り交じったような迫力のある映像を演出することができ、参列者が思わず見入ってしまう程のものである。
また上記のように、露出部材を動作させて、露出部材の状態を、映像を写し出すための下地を露出する状態と、予め形成された画像を露出する状態との間で切り替える切り替え手段を備えているため、冠婚葬祭用のセレモニーにおいて映像演出をしていないときに、部屋内の美観を維持、向上させることが可能となる。
【００１１】
このとき、前記表面領域に含まれる前記内壁面の少なくとも一部には、凹凸形状が付与されていると良い。
上記構成により、内壁面の凹凸形状を映写する対象の立体物として利用することができ、一層趣向を凝らしたプロジェクションマッピングの演出が可能となる。
【００１２】
このとき、前記露出部材は、前記フレームの枠内から一部の領域が露出可能に設けられ、前記下地を露出した状態のときに前記下地に相当する映写領域を露出すると共に、前記画像を露出した状態のときに前記画像に相当する非映写領域を露出し、前記切り替え手段は、前記露出部材を動作させて、前記映写領域と、前記非映写領域との間で前記枠内から露出する領域を切り替えると良い。
上記のように、露出部材を動作させて、映像を写しだす映写領域と、予め画像が形成された非映写領域との間でフレームの枠内から露出する領域を切り替える切り替え手段を備えているため、冠婚葬祭用のセレモニーにおいて映像演出をしていないときに、部屋内の美観を維持、向上できる。
【００１３】
このとき、前記露出部材は、帯状のシートであって、前記切り替え手段は、前記シートの幅方向の両端側にそれぞれ設けられ、該シートを幅方向に巻き取り可能に保持する第１ローラ、及び第２ローラを備え、該第１ローラ、及び第２ローラの一方側に前記シートを巻き取らせて、前記映写領域と、前記非映写領域との間で前記枠内から露出する領域を切り替えると良い。
上記構成により、第１ローラ及び第２ローラをシート幅方向に手動又は自動で回転させるシンプルな構造によって、枠内の帯状シートの一部を映写領域と非映写領域との間で切り替えることが可能となる。
【００１４】
このとき、前記部屋は、結婚式用又は葬式用に用いられる部屋であって、前記内壁面のうち、前記フレーム及び前記露出部材が設置された領域と異なる領域には、装飾用に設けられた花を備え、前記映写機は、前記表面領域に向かって前記花に対応した映像を映写すると良い。
上記構成により、例えば、冠婚葬祭用のセレモニーにおいて多数の装花や供花を飾るときに、本物の装飾用の花に加えて、プロジェクションマッピングを利用して花に対応した映像、すなわち仮想の花を映写することで、あたかも部屋の内壁面側に多数の装花や供花を飾っているかのような演出が可能となる。
そのため、参列者に豪華な印象を与えつつも、本物の装飾用の花を多数準備する必要がなくなり、冠婚葬祭の費用を抑えることが可能となる。
また、部屋内のコーディネートを変えるときに、部屋内の装花や供花を飾り直す等の作業負担が減ることから、従来と比べて会場準備、閉場準備の時間を短縮できる。
【００１５】
このとき、前記花は、プリザーブドフラワーの花冠と、該花冠に固着された模造の萼と、該萼に着脱自在に取り付けられた模造の茎と、からなる加工花であると良い。
上記構成により、プリザーブドフラワーの花冠と模造の萼とを接着剤等で固着し、その模造の萼と模造の茎とを着脱自在に取り付けるようにしたので、プリザーブドフラワーの花冠及び模造の萼と模造の茎とを簡単に取外すことができ、花冠の交換も容易にできる。
そのため、プリザーブドフラワーの花冠が痛んだときには、その花冠だけを簡単に取り換えることができる。また、プリザーブドフラワーの花冠だけ交換して、花冠の種類や色を変えることができる。そして、プリザーブドフラワーの花冠と固着した模造の萼を介して模造の茎と着脱可能とすることによって、その取付箇所が頑丈となる。
その結果、部屋内に飾られる本物の花自体のコストも抑えることができる。
【００１６】
このとき、前記内壁面の所定位置に形成されて前記建物外に通じる開口部分には、透明性を有するガラス板が取り付けられ、前記映写機は、前記ガラス板の表面をさらに含む前記表面領域に向かって前記映像を映写すると良い。
上記構成により、ガラス板を利用することで、又は透明なガラス板越しに見える建物外のガーデン風景等を利用することで、一層趣向を凝らしたプロジェクションマッピングの演出が可能となる。
【００１７】
このとき、前記表面領域に含まれる前記下地を露出した前記露出部材表面の少なくとも一部には、凹凸形状が付与されていると良い。
上記構成により、露出部材表面の凹凸形状を映写する対象の立体物として利用することができ、一層趣向を凝らしたプロジェクションマッピングの演出が可能となる。
【００１８】
このとき、上記冠婚葬祭用の部屋を備えた冠婚葬祭用の建物を実現することもできる。
【発明の効果】
【００１９】
本発明の冠婚葬祭用の部屋及び冠婚葬祭用の建物によれば、冠婚葬祭用のセレモニーにおいて、例えばプロジェクションマッピングを利用した豪華で感動的な映像演出が可能となる。
また、冠婚葬祭用のセレモニーにおいて映像演出をしていないときに、シンプルな構造で部屋内の美観を維持、向上させることが可能となる。
また、冠婚葬祭用のセレモニーにおいて、豪華な印象を与えつつも、費用を抑えることが可能となる。
【図面の簡単な説明】
【００２０】
【図１】本実施形態に係る冠婚葬祭用の建物の部屋内を示す斜視図である。
【図２】部屋内の内壁面を示す正面図であって、フレーム枠内から画像が描かれた非映写領域を露出させた状態を示す図である。
【図３】フレーム、帯状シート及びローラの組み立て構成を説明する分解斜視図である。
【図４】部屋内の内壁面を示す正面図であって、フレーム枠内からスクリーン状の映写領域を露出させた状態を示す図である。
【図５】内側面を示す正面図であって、プロジェクションマッピングの映像演出が実行された状態を示す図である（その１）。
【図６】内側面を示す正面図であって、上記映像演出が実行された状態を示す図である（その２）。
【図７】内側面を示す正面図であって、上記演出が実行された状態を示す図である（その３）。
【図８】第２実施形態の冠婚葬祭用の建物において、部屋内の内壁面を示す正面図であって、フレーム枠内からスクリーン状の映写領域を露出させた状態を示す図である。
【図９】内壁面を示す正面図であって、プロジェクションマッピングの映像演出が実行された状態を示す図である。
【図１０】第３実施形態の冠婚葬祭用の建物において、部屋内の内壁面を示す正面図であって、フレーム枠内の表示画面にスクリーンを表示させた状態を示す図である。
【図１１】装飾用の花の分解斜視図である。
【図１２】表示画面の切り替え手段の構成を示すブロック図である。
【図１３】表示画面の切り替え手段の処理の一例を示すフローチャートである。
【図１４】内壁面を示す正面図であって、プロジェクションマッピングの映像演出が実行された状態を示す図である。
【発明を実施するための形態】
【００２１】
以下、本発明の実施形態について図を参照して説明する。
本実施形態は、冠婚葬祭用の部屋の内壁面に設置された枠状のフレームと、このフレームの枠内から露出する領域をスクリーン状の映写領域と、画像が描かれた非映写領域との間で切り替え可能な帯状のシートと、このシートを挟み込むように設けられ、シートを巻き取り可能に保持する第１ローラ及び第２ローラと、映写機とを備えており、この映写機が、枠内から露出した映写領域の表面と、フレーム表面と、凹凸形状の内壁面とを含む表面領域に向かって、表面領域に対応した映像を映写することを特徴とする冠婚葬祭用の建物の発明に関するものである。
なお、プロジェクションマッピングとは、建物や物体、あるいは空間などの立体物の表面に映像を張り合わせるように映し出す表現手法であって、３Ｄマッピング、ビデオマッピング、アーキテクチャルマッピングなどとも呼ばれるものである。
【００２２】
本実施形態の冠婚葬祭用の建物は、特に結婚式に利用されるホテルやウェディングハウス等の建物であって、図１に示すように、挙式会場や披露宴会場として用いられる部屋１と、部屋１の所定の内壁面２に設置された複数の枠状のフレーム１０と、フレーム１０の枠内から露出可能に取り付けられた帯状のシート１１と、内壁面２側に向かって映像を映写する映写機２０と、所定の音楽又は効果音を流すスピーカ３０と、を主に備えている。
【００２３】
部屋１は、図１に示すように、新郎新婦及び参列者が着席する中央広間を挟んだ位置にある第１内壁面２ａ及び第２内壁面２ｂと、第１内壁面２ａ及び第２内壁面２ｂの奥側を連結する奥側内壁面２ｃと、天井側の内壁面となる天井内壁面２ｄと、から構成される内壁面２によって仕切られた空間である。
内壁面２のうち、第１内壁面２ａ及び第２内壁面２ｂには、部屋１の奥行き方向に所定の間隔を空けて複数の略矩形状のフレーム１０が設置されている。
なお、第１内壁面２ａ及び第２内壁面２ｂには、フレーム１０の形状や設置箇所、柱の形状や設置箇所等に合わせて所定の凹凸形状が付与されている。
【００２４】
奥側内壁面２ｃ側には、結婚披露宴中に各種パフォーマンスを演出可能なステージが常設されており、比較的大型なスクリーン等も常設されている。
天井内壁面２ｄには、部屋１の奥行き方向に所定の間隔を空けて複数の映写機２０と、スピーカ３０と、がそれぞれ常設されている。
なお、部屋１内において奥側内壁面２ｃと対向する手前側の内壁面には、新郎新婦及び参列者が入退場するための不図示のドアが常設されている。
【００２５】
フレーム１０は、内壁面２から凸状に張り出すように設置された木製のフレーム部材であって、図２に示すように、３枚のフレーム１０が上下方向においてそれぞれ重なる位置に配置されている。
フレーム１０の枠内には、シート１１の非映写領域１１ｂに相当する所定の絵画が部屋１側に露出している。
フレーム１０の背面側には、図３に示すように、フレーム１０の枠内から一部の領域が露出可能に取り付けられた帯状のシート１１と、シート１１の幅方向の両端部に取り付けられ、シート１１を幅方向に巻き取り可能に保持する第１ローラ１２及び第２ローラ１３と、が配置されている。
【００２６】
シート１１は、フレーム１０の幅方向に長尺な帯状の露出部材であって、図３に示すように、映像を写し出すための映写領域１１ａと、予め画像が形成された非映写領域１１ｂと、を有している。
映写領域１１ａ及び非映写領域１１ｂは、フレーム１０の枠内に相当する大きさからなり、具体的には、映写領域１１ａは白無地のスクリーンとして形成され、非映写領域１１ｂは所定の絵画が印刷、貼付け等されて形成されている。
なお、シート１１が映写領域１１ａを枠内から露出している状態が、特許請求の範囲の下地を露出する状態に相当し、また、シート１１が非映写領域１１ｂを枠内から露出している状態が、予め形成された画像を露出する状態に相当する。
【００２７】
第１ローラ１２及び第２ローラ１３は、シート１１を幅方向に巻き取り可能に保持するローラ部材であって、図３に示すように、フレーム１０の背面側に着脱可能に取り付けられている。
具体的には、各ローラ１２、１３は、それら上端部及び下端部が、フレーム１０の幅方向の両端部において上端部分及び下端部分にそれぞれ形成されたローラ取り付け穴部１０ａ、１０ｂに嵌合することで、フレーム１０に取り付けられている。
第１ローラ１２及び第２ローラ１３の一方をシート幅方向に回転させて、第１ローラ１２及び第２ローラ１３の一方側にシート１１を巻き取らせることで、フレーム１０枠内からシート１１の露出する領域を切り替えることができる。
すなわち、フレーム１０枠内から露出する領域を映写領域１１ａと、非映写領域１１ｂとの間で切り替えることができる。
【００２８】
上記構成において、シート１１及び各ローラ１２、１３は、フレーム１０の背面側に収納された状態で着脱可能に取り付けられている。
そのため、図２に示すように、新郎新婦及び参列者が内壁面２側を見たときに、フレーム１０と非映写領域１１ｂとによって、内壁面２に額縁付きの絵画のみが飾られた雰囲気を醸し出すことができる。
【００２９】
なお、図３に示す第１ローラ１２及び第２ローラ１３の回転動作は、作業者が手動で操作しても良いし、自動操作しても勿論良い。
作業者が手動で操作する場合には、例えば、各ローラ１２、１３のうち、フレーム１０から外部に露出した上端部に不図示のハンドル部材を取り付けて、このハンドル部材を握って各ローラ１２、１３を回転操作する構成にすると良い。
自動操作する場合には、例えば、各ローラ１２、１３の所定位置に不図示の駆動モータを取り付けて、この駆動モータの回転によって各ローラ１２、１３を駆動回転させる機構とし、不図示の操作ボタンで操作する構成にすると良い。
【００３０】
また、自動操作する場合において、不図示の駆動モータの動作を制御する不図示の制御コントローラを備えた機構とし、制御コントローラが、不図示のセンサ群から信号を受信して、不図示の駆動モータにそれぞれ制御信号を送信することによって、各ローラ１２、１３を回転操作する構成にすると良い。
このようにすれば、作業者のリモコン操作等によって、フレーム１０の枠内から露出する領域を映写領域１１ａと、非映写領域１１ｂとの間で一斉に切り替えることができる。
【００３１】
映写機２０は、図１に示すように、部屋１内の天井内壁面２ｄに複数設置されており、図４に示すように、フレーム１０の枠内から露出した映写領域１１ａのスクリーン表面と、フレーム１０の表面と、内壁面２の一部とを含む表面領域Ｔに向かって、図５に示すように、表面領域Ｔに対応した映像を映写するプロジェクターである。
ここで、「表面領域Ｔに対応した映像を映写する」とは、立体物の表面領域に映像という素材（オブジェクト）を貼り合わせるように映写する、すなわち、プロジェクションマッピングを演出する意味合いを含むものである。
なお、映写機２０の種類としては、プロジェクションマッピングを演出可能な映写機であれば、特に限定されることなく採用することが可能である。
【００３２】
スピーカ３０は、図１に示すように、部屋１内の天井内壁面２ｄに複数設置されており、図４に示す表面領域Ｔに映写された映像に対応した、所定の音楽又は効果音を部屋１内に流す音響機器である。
スピーカ３０から流れる所定の音楽又は効果音を映像に合わせることで、プロジェクションマッピングの演出効果を高めることができる。
【００３３】
＜プロジェクションマッピングを利用した演出内容＞
次に、表面領域Ｔにプロジェクションマッピングを利用した映像を映写したときの演出内容を図４〜図７に基づいて説明する。
図４は、部屋１内の内壁面２を示す正面図であって、フレーム１０枠内からスクリーン状の映写領域１１ａを露出させた状態を示している。
詳細に説明すると、内壁面２には、上下方向に延びる柱が左右方向に所定の間隔を空けて複数立設されており、これら柱とフレーム１０とが左右方向に交互に配置されている。
また、内壁面２には、各フレーム１０を囲むように凹凸形状が上下方向又は左右方向に延びて形成されており、全体的にまとまった外観を有している。
各フレーム１０の枠内の映写領域１１ａには、それぞれ白無地のスクリーンが展開されている。
【００３４】
図５〜図７は、映写機２０によってプロジェクションマッピングの映像演出が実行された状態を示す図である。
図５には、内壁面２の表面領域Ｔにおいて煉瓦積みの家の内壁面の映像が映し出されている。
図５について詳細に説明すると、凸状に張り出したフレーム１０表面と映写領域１１ａの表面には、フレーム１０及び映写領域１１ａに対応した映像として仮想的な（擬似的な）木製の窓の映像が写し出されている。
また、凸状に張り出した柱の表面と、内壁面２の略全面には、柱及び内壁面２に対応した映像として煉瓦積みの家の内壁面の映像が写し出されている。
このとき、内壁面２の略全面には不図示の微小な凹凸形状が形成されており、当該凹凸形状の表面に対応して煉瓦の映像を貼り合わせるようにして映写されている。
【００３５】
そして、図６には、内壁面２において図５の映写内容から変化させて、煉瓦積みの家に設けられた窓が開いた映像が映し出されている。
図６について詳細に説明すると、フレーム１０表面と映写領域１１ａの表面には開いた窓が映し出されている。開いた窓の外側には、部屋１の屋外の空の風景の一部が映し出されており、さらに空を飛ぶハトの姿が映し出されている。
【００３６】
そして、図７には、内壁面２において図６の映写内容から変化させて、煉瓦積みの家の部屋内に入り込んで飛び回るハトの群れと、複数の風船の映像が映し出されている。
すなわち、煉瓦積みの家の部屋内の様子が映し出されていると共に、ハトの群れと風船とが結婚披露宴を祝福するように部屋内を自由に飛び回っている。
【００３７】
上記映像演出によって、結婚式の演出を盛り上げる趣向を凝らすことが可能となる。
例えば、日光が遮断され外部の景色が見えない建物内の無機質な閉鎖的空間においても、広々とした開放的な雰囲気の空間を演出することが可能となる。実物の自然の景色を忠実に再現することも可能となる。
このとき、複数の映写機２０によって、新郎新婦及び参列者を挟んだ位置にある第１内壁面２ａ及び第２内壁面２ｂそれぞれの表面領域Ｔに向かって映像を映写すれば、一層趣向を凝らした結婚披露宴の演出が可能となる。
【００３８】
＜冠婚葬祭用の建物の第２実施形態＞
次に、冠婚葬祭用の建物の第２実施例について、図８、図９に基づいて説明する。
なお、以下の説明において上述した冠婚葬祭用の建物と重複する内容は説明を省略する。
第２実施例に係る冠婚葬祭用の建物では、図８に示すように、内壁面２において、部屋１の奥行き方向に所定の間隔を空けて２枚のフレーム１０と、２枚のフレーム１０の間にガラス板のドア４０とが設置されている構成が異なっている。
ドア４０は、透明なガラス板からなる略矩形状の比較的大型なドアであって、内壁面２の所定位置に形成されて建物外に通じる開口部分に取り付けられている。
【００３９】
図９は、映写機２０によってプロジェクションマッピングの映像演出が実行された状態を示す図である。
具体的には、図９には、内壁面２の表面領域Ｔにおいて海辺の近くにある家の内壁面の映像が映し出されている。
図９について詳細に説明すると、凸状に張り出したフレーム１０表面と映写領域１１ａの表面には、仮想の木製の窓の映像が写し出されている。そして、窓の向こう側には、実物のドア４０越しに見える実物の海辺の景色と連続するように、仮想の海辺の景色の映像が映し出されている。
上記構成により、ガラス板を利用することで、又は透明なガラス板越しに見える建物外の海辺の景色等を利用して、実物のドア４０及び海辺の景色と、仮想の窓及び海辺の景色とが融合して一層趣向を凝らした結婚披露宴の演出が可能となる。
【００４０】
＜冠婚葬祭用建物の第３実施形態＞
次に、冠婚葬祭用の建物の第３実施例について、図１０〜図１４に基づいて説明する。
第３実施例に係る冠婚葬祭用の建物では、特に葬式用の建物であって、図１０に示すように、部屋の内壁面１０２に設置されたフレーム１１０枠内から露出可能に取り付けられた表示ディスプレイ１１１と、内壁面１０２においてフレーム１１０が設置された領域と異なる領域に設置された装飾用の花５０と、花５０を飾るための祭壇６０と、を備えた構成が異なっている。
【００４１】
花５０は、図１０、図１１に示すように、プリザーブドフラワーからなる花冠５１と、花冠５１に固着された模造萼５２と、模造萼５２に着脱自在に取り付けられた模造茎５３と、から形成される装飾用の加工花である。
花５０は、祭壇６０上に設けられた不図示の挿入孔に着脱自在に挿入されて、上下方向及び左右幅方向に連なって多数飾られている。
【００４２】
表示ディスプレイ１１１は、フレーム１１０の枠内に設置される露出部材に相当し、表示ディスプレイ１１１の表示画面を、映像を写し出すための下地（スクリーン）を表示する状態と（図１０参照）、予め形成された静止画像を画面表示する状態との間で切り替えることができる。
詳しく言うと、表示画面の切り替え手段のハード構成として、図１２に示すように、制御コントローラ１１２と、有線又は無線で制御コントローラ１１２と通信可能な操作リモコン１１３と、上述の表示ディスプレイ１１１と、が主に備えられている。
なお、制御コントローラ１１２には、所定のプログラムが記憶されており、所定プログラムがＣＰＵによって実行されることにより、表示画面の切り替え機能が発揮される。
【００４３】
具体的には、利用者が操作リモコン１１３の切り替えスイッチ１１３ｂをＯＮ操作することで、操作リモコン１１３が、切り替えスイッチ１１３ｂのＯＮ操作に基づく信号を制御コントローラ１１２に向かって送信する。
そして、制御コントローラ１１２が、当該信号を受信して、表示ディスプレイ１１１の表示画面を下地の画面と、静止画像の画面との間で切り替え制御する。
【００４４】
次に、表示画面の切り替え手段の処理について図１３に基づいて説明する。
図１３に示す切り替え手段の処理手順では、まず、操作リモコン１１３の表示スイッチ１１３ａがＯＮ操作されることをトリガーとして開始される（ステップ０１）。
表示スイッチ１１３ａがＯＮ操作されたと判定された場合にはステップ０２に進み、一方でＮｏの場合にはステップ０１に再び戻る。
【００４５】
そして、ステップ０２では、制御コントローラ１１２が、表示スイッチ１１３ａのＯＮ操作に基づく信号を受信して、表示ディスプレイ１１１の表示画面に静止画像を表示する制御を行う。
表示ディスプレイ１１１に静止画像の画面が表示された状態で、次に操作リモコン１１３の切り替えスイッチ１１３ｂがＯＮ操作されたか否かを判定する（ステップ０３）。Ｙｅｓの場合はステップ０４に進み、Ｎｏの場合はステップ０３に戻る。
【００４６】
そして、切り替えスイッチ１１３ｂがＯＮ操作されたと判定された場合、制御コントローラ１１２が、切り替えスイッチ１１３ｂのＯＮ操作に基づく信号を受信して、表示ディスプレイ１１１の表示画面を、静止画像の画面から下地（スクリーン）の画面へ切り替え表示する制御を行う（ＳＴ０４）。そして、図１３のプロセスを終了する。
【００４７】
上記処理手順によって、冠婚葬祭のセレモニーとして部屋を利用していないときには、フレーム１１０の枠内の表示ディスプレイ１１１に、例えば風景画のような静止画像の画面を表示させておき、いざセレモニーにおいて映像演出を実行するときには、静止画像の画面から切り替えて白下地のスクリーン画面を表示させることができる。
そして、図１０に示すように、スクリーン画面を表示した表示ディスプレイ１１１表面と、フレーム１１０と、花５０と、祭壇６０と、内壁面１０２の一部とを含む表面領域Ｔ´に向かって、表面領域Ｔ´に対応した映像を映写機から映写させることができる。
【００４８】
次に、表面領域Ｔ´にプロジェクションマッピングを利用した映像を映写したときの演出内容を図１４に基づいて説明する。
図１４には、内壁面１０２の表面領域Ｔ´において葬式用に飾られる仮想の供花の映像や、仮想の御芳名板の映像が映し出されている。
詳細に説明すると、凸状に張り出したフレーム１１０と、表示ディスプレイ１１１からなる立体物を利用して、これら立体物表面に仮想の御芳名板の映像が写し出されている。
また、内壁面１０２においてフレーム１１０、花５０及び祭壇６０が設置された領域と異なる領域の凹凸形状を利用して、これら内壁面１０２全体にわたって仮想の供花の映像が多数映し出されている。
なお、ご芳名板の映像は表示ディスプレイ１１１に画面表示することで代替しても良い。
【００４９】
上記映像演出によって、参列者に豪華で荘厳な印象を与えつつも、本物の供花を多数準備して飾る必要がなく、ご芳名板を作成する必要もないことから費用を抑えた葬式を開催することが可能となる。
また、内壁面に対して参列者側に本物の供花と祭壇とが飾られていることから、参列者にとって、あたかも本物の供花で全て飾られているような印象を与える事ができる。
また、部屋内のコーディネートを変更するときに、部屋内の供花を飾り直す等の作業負担が減ることから、従来と比べて葬式の会場準備、閉場準備の時間を短縮できる。
【００５０】
＜その他の実施形態＞
上記実施形態では、図３に示すように、シート１１（露出部材）、第１ローラ１２及び第２ローラ１３を備えた切り替え手段によって、フレーム１０枠内から露出する領域を映写領域１１ａと非映写領域１１ｂとの間で切り替える構成としたが、これに限定されることなく、適宜変更可能である。
例えば、単純にフレームの枠内に飾られた絵画（露出部材）を手動又は自動で表裏反転させることによって、絵画の裏面に設けられた白無地の表面を映写領域として利用する等の構成としても良い。第２実施形態のような表示ディスプレイを利用しても良い。
その他、公知な切り替え手段を備え、フレーム１０枠内から下地を露出する状態と、画像を露出する状態との間で切り替えて露出させるような露出部材を備えていれば良い。
【００５１】
上記実施形態では、シート１１の映写領域１１ａが、白無地のスクリーンとして形成されていたが、映写領域１１ａの表面の少なくとも一部には、凹凸形状が付与されていても良い。
このように構成することで、映写領域１１ａの凹凸形状を立体物として利用することができ、一層趣向を凝らしたプロジェクションマッピングの演出が可能となる。
【００５２】
上記実施形態では、内壁面２の表面領域Ｔに向かってプロジェクションマッピングを利用した映像を映写しているが、これに限定されることなく、部屋１内の空間、構成部品を映写領域として広く利用しても良い。
例えば、部屋１内に常設された立体物として、ステージ、シャンデリア、テーブル、イス、ドア、ピアノ、スピーカ、照明装置等を対象として映像を写しだすことができ、結婚披露宴の趣向を凝らす事が出来るようになる。
【００５３】
本実施形態では、主として本発明に係る冠婚葬祭用の建物に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、冠婚葬祭用の建物の構成要素となる部屋、部屋内に設置されたフレーム、フレーム枠内の露出部材（帯状シート、表示画面）、映写機の構成、配置レイアウトについて、上記の実施形態にて説明したものは、あくまで一例に過ぎず、本発明を限定するものではない。
【符号の説明】
【００５４】
１  部屋
２、１０２  内壁面
２ａ  第１内壁面
２ｂ  第２内壁面
２ｃ  奥側内壁面
２ｄ  天井内壁面
１０、１１０  フレーム
１０ａ  ローラ取り付け穴部
１１  シート
１１ａ  映写領域
１１ｂ  非映写領域
１２  第１ローラ
１３  第２ローラ
２０  映写機
３０  スピーカ
４０  ドア
５０  花
５１  花冠
５２  模造萼
５３  模造茎
６０  祭壇
１１１  表示ディスプレイ
１１２  制御コントローラ
１１３  操作リモコン
１１３ａ  表示スイッチ
１１３ｂ  切り替えスイッチ
Ｔ、Ｔ´  表面領域
【図１】
2015192728.tif 000003
【図２】
2015192728.tif 000004
【図３】
2015192728.tif 000005
【図４】
2015192728.tif 000006
【図５】
2015192728.tif 000007
【図６】
2015192728.tif 000008
【図７】
2015192728.tif 000009
【図８】
2015192728.tif 000010
【図９】
2015192728.tif 000011
【図１０】
2015192728.tif 000012
【図１１】
2015192728.tif 000013
【図１２】
2015192728.tif 000014
【図１３】
2015192728.tif 000015
【図１４】
2015192728.tif 000016